(57)【特許請求の範囲】
【請求項１】
下端が床面に設置されるとともに前面側に展示パネルが載置される本体部と、この本体部に回動可能に連結され、同本体部から後方へ所定角度回動されて下端が床面に設置されることで前記本体部を支持する支持脚部とを有し、
前記本体部は、一対の縦部材を少なくとも２本の横部材により連結してなるものであり、前記横部材はいずれも前記縦部材に対して上下方向の任意の位置に固定可能とされ、
前記縦部材は直線状をなし、下端が床面に設置される下側縦部材に対して上側縦部材が上下動可能とされたものであり、
前記支持脚部は、軸方向に相対変位可能に接続された複数の支柱部材と、この複数の支柱部材の軸方向の相対的な位置を任意の位置に固定可能な固定部材とにより構成され、
また、前記支持脚部は、前記横部材のいずれか一方に連結され、前記本体部に対して任意の開き角度で保持可能とされており、
前記展示パネルが載置されるパネル載置部は、前記横部材の他方に取り付け可能とされていることを特徴とする段差対応パネルスタンド。
【請求項２】
前記支持脚部は、前記本体部の幅方向に一対設けられ、この一対の支持脚部のうち下端側に配される支柱部材同士は結合部材を介して連結されていることを特徴とする請求項１に記載の段差対応パネルスタンド。
【請求項３】
前記支持脚部と前記横部材との連結部分には、前記支持脚部が所定の開き角度に回動したときに凹凸嵌合することで前記支持脚部の回動位置を保持する凹凸嵌合部が備えられていることを特徴とする請求項１または請求項２に記載の段差対応パネルスタンド。
【請求項４】
前記凹凸嵌合部は、前記支持脚部の回動方向に複数設けられていることを特徴とする請求項３に記載の段差対応パネルスタンド。
【請求項５】
前記凹凸嵌合部は、前記支持脚部の軸線方向に嵌合・離間するものであり、
前記支持脚部と前記横部材との連結部分のうち一方の連結部には前記凹凸嵌合部の嵌合・離間方向に長い長孔が形成されるとともに、他方の連結部には前記長孔に嵌合した状態で前記長孔の長さ方向に変位可能な軸部が設けられていることを特徴とする請求項３または請求項４に記載の段差対応パネルスタンド。
【請求項６】
前記一対の縦部材は、前記下側縦部材の下端寄りの位置において連結横部材を介して連結されていることを特徴とする請求項１ないし請求項５のいずれか一項に記載の段差対応パネルスタンド。
【請求項７】
前記上側縦部材の上端には、前記パネル載置部に載置された展示パネルの上縁に係合してこの展示パネルが前方へ倒れることを規制する倒れ規制部が備えられていることを特徴とする請求項１ないし請求項６のいずれか一項に記載の段差対応パネルスタンド。
【請求項８】
前記パネル載置部は、一の前記横部材に対して少なくとも一対設けられ、この横部材の任意の位置に取り付け可能とされていることを特徴とする請求項１ないし請求項７のいずれか一項に記載の段差対応パネルスタンド。
【発明の詳細な説明】
【技術分野】
【０００１】
本発明は、展示パネルを展示するためのパネルスタンドに関する。
【背景技術】
【０００２】
従来より、博物館や各種イベント会場等において展示パネルを設置するためのパネルスタンドとして、例えば特許文献１に記載のものが知られている。
このパネルスタンドは、前面側に展示パネルを設置可能な長尺板状の本体部を有し、その後面側に支持脚が備えられたものである。支持脚は、本体部に対して回動可能に取り付けられ、支持脚を本体部から離間方向に回動してその下端と本体部の下端とを床面に設置すると、パネルスタンドは、本体部が床面に対して所定角度傾斜した姿勢で設置される。
【特許文献１】特開２００４−３４７６７７公報
【発明の開示】
【発明が解決しようとする課題】
【０００３】
ところで近年においては、展示パネルを従来のように広く平らな床面に設置するだけでなく、例えばスペースの有効利用を図るために、階段等、段差のあるスペースにも設置したいという要望がある。
しかしながら、上記のような構造のパネルスタンドは、広く平らな床面に設置することを前提にしたものであるから、階段等に設置しようとすると本体部が前のめりの姿勢になってしまい、設置することができない。
【０００４】
本発明は上記のような事情に基づいて完成されたものであって、平らな床面だけでなく段差のある床面にも設置することが可能な段差対応パネルスタンドを提供することを目的とする。
【課題を解決するための手段】
【０００５】
本発明は、下端が床面に設置されるとともに前面側に展示パネルが載置される本体部と、この本体部に回動可能に連結され、同本体部から後方へ所定角度回動されて下端が床面に設置されることで前記本体部を支持する支持脚部とを有し、前記本体部は、一対の縦部材を少なくとも２本の横部材により連結してなるものであり、前記横部材はいずれも前記縦部材に対して上下方向の任意の位置に固定可能とされ、前記縦部材は直線状をなし、下端が床面に設置される下側縦部材に対して上側縦部材が上下動可能とされたものであり、前記支持脚部は、軸方向に相対変位可能に接続された複数の支柱部材と、この複数の支柱部材の軸方向の相対的な位置を任意の位置に固定可能な固定部材とにより構成され、また、前記支持脚部は、前記横部材のいずれか一方に連結され、前記本体部に対して任意の開き角度で保持可能とされており、前記展示パネルが載置されるパネル載置部は、前記横部材の他方に取り付け可能とされていることに特徴を有する。
【０００６】
このような構成によれば、複数の支柱部材を軸方向に変位させることで、支持脚部を設置する床面の高さにあわせて支持脚部の長さを調整し、固定部材によりその長さを固定して支持脚部の下端を床面に設置する。これにより、平らな床面だけでなく、本体部の下端を設置する位置と支持脚部の下端を設置する位置とに段差のある床面にもパネルスタンドを設置することができる。
【０００７】
前記支持脚部は、前記本体部の幅方向に一対設けられ、この一対の支持脚部のうち下端側に配される支柱部材同士は結合部材を介して連結されているものとしてもよい。これにより、支持脚部同士の下端の高さ位置のずれが所定範囲内に抑えられるから、一対の支持脚部の長さ調整を容易に行うことができる。
【０００８】
前記支持脚部と前記横部材との連結部分には、前記支持脚部が所定の開き角度に回動したときに凹凸嵌合することで前記支持脚部の回動位置を保持する凹凸嵌合部が備えられているものとしてもよい。これにより、支持脚部を所定の開き角度に保持した状態で、支持脚部の長さ調整を行うことができるから、パネルスタンドの設置を容易に行うことができる。
【０００９】
前記凹凸嵌合部は、前記支持脚部の回動方向に複数設けられているものとしてもよい。これにより、床面の段差形状にあわせて支持脚部の開き角度を選択し、その開き角度に支持脚部を保持した状態で、支持脚部の長さ調整を行うことができるから、パネルスタンドの設置を容易に行うことができるだけでなく、パネルスタンドの設置にかかる自由度を高めることができる。
【００１０】
前記凹凸嵌合部は、前記支持脚部の軸線方向に嵌合・離間するものであり、前記支持脚部と前記横部材との連結部分のうち一方の連結部には前記凹凸嵌合部の嵌合・離間方向に長い長孔が形成されるとともに、他方の連結部には前記長孔に嵌合した状態で前記長孔の長さ方向に変位可能な軸部が設けられているものとしてもよい。これにより、凹凸嵌合部を嵌合・離間する際に、支持脚部と本体部との連結部分がその嵌合・離間方向に誘導されるから、支持脚部の回動作業を容易に行うことができる。
【００１１】
前記本体部は、前記一対の縦部材は、前記下側縦部材の下端寄りの位置において連結横部材を介して連結されているものとしてもよい。これにより、例えば本体部が一枚の板部材からなる場合に比べてパネルスタンドの軽量化を図ることができる。また、連結横部材により一対の縦部材の下端の位置ずれが所定範囲内に抑えられるから、パネルスタンドを容易に安定姿勢に設置することができる。
【００１２】
前記上側縦部材の上端には、前記パネル載置部に載置された展示パネルの上縁に係合してこの展示パネルが前方へ倒れることを規制する倒れ規制部が備えられているものとしてもよい。このような構成によれば、展示パネルの高さ寸法にあわせて上側縦部材を上下方向に変位させ、倒れ規制部を展示パネルの上縁に係合させることができる。したがって、高さ寸法が異なるさまざまな大きさの展示パネルの前方への倒れを防止することができる。
【００１３】
前記パネル載置部は、一の前記横部材に対して少なくとも一対設けられ、この横部材の任意の位置に取り付け可能とされているものとしてもよい。このような構成によれば、パネル載置部の位置を移動させることにより、幅寸法が異なるさまざまな大きさの展示パネルを設置することができる。そして、さまざまな幅寸法の展示パネルを設置するために、例えばパネル載置部自体の幅寸法を大きくする場合に比べて、パネルスタンドの軽量化を図ることができる。
【発明の効果】
【００１４】
本発明によれば、平らな床面だけでなく段差のある床面にも設置することが可能な段差対応パネルスタンドを提供することができる。
【発明を実施するための最良の形態】
【００１５】
以下、本発明の実施形態を図１〜図６によって説明する。
本実施形態における段差対応パネルスタンドＳ（以後、単にパネルスタンドＳと称する）は、各種の展示パネルを設置するためのものである。このパネルスタンドＳは、前面側に展示パネルが載置される本体部１０と、この本体部１０を支持する支持脚部３０とを備えている。
【００１６】
本体部１０は、一対の縦部材１１と、この一対の縦部材１１を横方向（幅方向）に連結する横部材１２とを備えてなり、一対の縦部材１１の下端が床面に設置される。一対の縦部材１１は、上側縦部材１１Ａと下側縦部材１１Ｂとが上下方向（部材軸方向）に相対変位可能に接続されたものであり、詳しくは、上側縦部材１１Ａは下側縦部材１１Ｂよりも径が小さく、下側縦部材１１Ｂの上端から下側縦部材１１Ｂ内に挿入されて上下動（上下方向の相対変位）可能とされている。上側縦部材１１Ａのうち下側縦部材１１Ｂの上側の位置には、下側縦部材１１Ｂの外形よりも一回り大きいリング状をなす固定リング１３が取り付けられ、この固定リング１３を締め付けることにより上側縦部材１１Ａの上下動（相対変位）が規制され、固定リング１３を緩めることにより上側縦部材１１Ａの上下動が許容されるようになっている。すなわち一対の縦部材１１は伸縮自在とされている。
【００１７】
一対の縦部材１１は、上下方向の３箇所において横部材１２を介して連結されている。３本の横部材１２のうち最も上側に配された上側横部材１２Ａは、下側縦部材１１Ｂの上端部同士を連結し、また中央に配された中央横部材１２Ｂは、下側縦部材１１Ｂの上下方向中央位置よりも上側寄りの位置を連結し、最も下側に配された下側横部材１２Ｃ（本発明の連結横部材に該当する）は、下側縦部材１１Ｂの下端部同士を連結している。
【００１８】
上側横部材１２Ａおよび中央横部材１２Ｂは横方向に長い板状をなし、その長手方向の両端部がそれぞれ下側縦部材１１Ｂにネジ固定されている。上側横部材１２Ａおよび中央横部材１２Ｂには、その上縁および下縁に沿って係合溝１４が設けられている。各横部材１２Ａ，１２Ｂの上縁に沿う係合溝１４（以後、上側係合溝１４Ａと称する）と下縁に沿う係合溝１４（以後、下側係合溝１４Ｂと称する）とは、互いに対向方向に開放されるとともに横方向に連続して延びる形態をなしている。この上下係合溝１４Ａ，１４Ｂには、後述するパネル載置部品２０が係合可能とされている。
【００１９】
下側横部材１２Ｃは横方向に長い円柱状をなし、その長手方向の両端部が下側縦部材１１Ｂの下端よりも若干上側の位置にネジ固定されている。なお、下側横部材１２Ｃの径寸法は、下側縦部材１１Ｂの径寸法とほぼ等しいものとされている。
【００２０】
一対の縦部材１１の上端（すなわち上側縦部材１１Ａの上端）には、展示パネルの上縁に係合してこの展示パネルが前方へ倒れることを規制する倒れ規制部１５が備えられている。倒れ規制部１５は、各上側縦部材１１Ａから前方へ延出した後、下方へ屈曲する略Ｌ字状をなしている（図２参照）。
【００２１】
本体部１０の前面側には、展示パネルを載置可能な一対のパネル載置部品２０（本発明のパネル載置部に該当する）が備えられている。各パネル載置部品２０は、上面側に展示パネルが載置される載置部２１と、展示パネルの前方への離脱を規制する離脱規制部２２とを備えている。離脱規制部２２は、載置部２１の一端から略垂直方向に立ち上がる形状をなしている。載置部２１の上面にはゴム板２３が貼り付けられ（図３参照）、展示パネルの下端が傷付かないようにされている。なお、倒れ規制部１５のうち上側縦部材１１Ａから前方へ延出する部分の下面（展示パネルの上端と対向する側の面）にも、同様にゴム板（図示せず）が貼り付けられている。
【００２２】
また、パネル載置部品２０には、上側横部材１２Ａおよび中央横部材１２Ｂの上下係合溝１４Ａ，１４Ｂに係合可能な係合片２４が備えられ、上側横部材１２Ａと中央横部材１２Ｂとのいずれにも取り付け可能とされている。係合片２４は、載置部２１のうち離脱規制部２２が設けられた側とは反対側の端部に設けられ、離脱規制部２２の立ち上がり方向と同方向に張り出す上側係合片２４Ａと、その反対側に張り出す下側係合片２４Ｂとからなるものである。上下係合片２４Ａ，２４Ｂは、ともに上側係合片２４Ａと下側係合溝１４Ｂとに差し込み可能な薄板状をなし、パネル載置部品２０が上側横部材１２Ａまたは中央横部材１２Ｂに正規の姿勢で取り付けられたときには、上側係合片２４Ａが上側係合溝１４Ａに、下側係合片２４Ｂが下側係合溝１４Ｂに差し込まれた状態になる。
【００２３】
上側係合片２４Ａの前面側（載置部２１側）には、上側係合片２４Ａの板厚を増加する形態の段差部２５が設けられ、この段差部２５の上縁と上側係合片２４Ａの上縁とはともに弧状をなしている。また、下側係合片２４Ｂの下縁は直線状をなしている。
【００２４】
そして、各パネル載置部品２０は、上下係合片２４Ａ，２４Ｂをそれぞれ上下係合溝１４Ａ，１４Ｂに差し入れた状態で、上下係合片２４Ａ，２４Ｂの板面方向に回動可能とされ、パネル載置部品２０が横向きの姿勢（離脱規制部２２が横倒しにされた姿勢）にされたときには、上下係合片２４Ａ，２４Ｂがともに上下係合溝１４Ａ，１４Ｂから外れた状態になり、パネル載置部品２０を取り外すことが可能となる。また、パネル載置部品２０が縦向きの姿勢（離脱規制部２２が上方に向かって立ち上がった姿勢）にされたときには、上下係合片２４Ａ，２４Ｂが上下係合溝１４Ａ，１４Ｂにそれぞれ差し入れられて、取り付け状態に保持される。すなわち、パネル載置部品２０を横向きの姿勢で上下係合溝１４Ａ，１４Ｂの間に差し入れた後、約９０度回動して縦向きの姿勢（正規の姿勢）にするとパネル載置部品２０は取り付け状態に保持され、パネル載置部品２０を正規の姿勢から９０度回動して横向きの姿勢にすると、上下横部材１２から取り外しが可能となる。また、パネル載置部品２０は、縦向きの姿勢のまま上下係合片２４Ａ，２４Ｂを上下係合溝１４Ａ，１４Ｂ内でスライドさせて、横方向（横部材１２の部材軸方向）に移動させることができる。なお、下側係合片２４Ｂの前面側には、上下係合溝１４Ａ，１４Ｂを構成する側壁を差し込み可能な差込溝２６が形成されており、この差込溝２６に係合溝１４の側壁が差し入れられる。
【００２５】
本体部１０には、一対の支持脚部３０が回動可能に連結されている。支持脚部３０は、本体部１０から後方へ所定角度だけ回動されてその下端が床面に設置されることにより、本体部１０を支持するものである。一対の支持脚部３０は、上側横部材１２Ａの長手方向の両端寄りの位置（縦部材１１寄りの位置）に連結されている。
【００２６】
上側横部材１２Ａと支持脚部３０との連結部分には、凹凸嵌合することで支持脚部３０の回動位置を保持する凹凸嵌合部が備えられている(図４参照）。凹凸嵌合部は、上側横部材１２Ａ側の連結部（以後、本体側連結部１６と称する）に形成された複数（本実施形態では４つ）の嵌合凹部１７と、支持脚部３０側の連結部（以後、脚側連結部３１と称する）に形成された嵌合凸部３２とにより構成されている。
【００２７】
複数の嵌合凹部１７は、支持脚部３０の回動方向（回動軌跡に沿う方向）に並べて形成されている。各嵌合凹部１７はほぼ同形状をなし、その凹み方向（開放方向）は支持脚部３０の回動軌跡に対して法線方向を向いている。複数の嵌合凹部１７のうち最も本体部１０に近い位置に配された第１嵌合凹部１７Ａの凹み方向は、縦部材１１の軸線方向と略平行方向とされ、また複数の嵌合凹部１７のうち最も本体部１０から遠い位置に配された第４嵌合凹部１７Ｄの凹み方向は、第１嵌合凹部１７Ａの凹み方向に対して６０度をなしている。そして、第１嵌合凹部１７Ａと第４嵌合凹部１７Ｄとの間に形成された第２嵌合凹部１７Ｂおよび第３嵌合凹部１７Ｃの凹み方向は、第１嵌合凹部１７Ａの凹み方向に対して順番に２０度、４０度とされ、すなわち４つの嵌合凹部１７は、２０度刻みで形成されている。
【００２８】
嵌合凸部３２は、各嵌合凹部１７に嵌合可能な形状をなして、支持脚部３０の上端からその軸線方向に突出している。そして、４つの嵌合凹部１７のうち選択した一の嵌合凹部１７に嵌合凸部３２を嵌合させることで支持脚部３０の回動動作が規制され、支持脚部３０は、その嵌合凸部３２が嵌合した嵌合凹部１７の凹み方向に開いた姿勢に保持される。すなわち、支持脚部３０と本体部１０との間の開き角度は、嵌合凸部３２が第１嵌合凹部１７Ａに嵌合した状態では０度（閉じ状態）となり、嵌合凸部３２が第２嵌合凹部１７Ｂに嵌合した状態では２０度となり、嵌合凸部３２が第３嵌合凹部１７Ｃに嵌合した状態では４０度となり、嵌合凸部３２が第４嵌合凹部１７Ｄに嵌合した状態では６０度（最大の開き状態）となる。
【００２９】
本体側連結部１６と脚側連結部３１とは、支持脚部３０の軸方向に相対変位可能に連結されており、支持脚部３０を下端側へ引っ張ることにより嵌合凸部３２と嵌合凹部１７との嵌合が外れて回動動作の規制が解除されるようになっている。また、支持脚部３０と上側横部材１２Ａとの連結部分には、図示しないバネ部材が備えられており、このバネ部材の弾性復元力により、下端側へ引っ張られた支持脚部３０には上端側へ引き戻す力が作用する。このため、支持脚部３０を下端側へ引っ張って所定の位置に回動し、手を離すと、支持脚部３０が自動的に上側に引き戻されて嵌合凸部３２が嵌合凹部１７に嵌まるようになっている。また、バネ部材の弾性復元力により、嵌合凸部３２と嵌合凹部１７との嵌合が解除されにくくなっているから、例えば支持脚部３０を所定角度開いた状態でのパネルスタンドＳの運搬等を容易に行うことができる。
【００３０】
また、脚側連結部３１には、本体側連結部１６を幅方向に挟み込む一対の対向壁３３が設けられている。この一対の対向壁３３には、嵌合凸部３２と各嵌合凹部１７との嵌合・離間方向（すなわち支持脚部３０の軸方向）に長い長孔３４が形成されている。長孔３４の長手方向の両側縁は略平行方向に直線的に延びるとともに、長手方向の両端縁は半円弧形状をなしている。一方、本体側連結部１６には、長孔３４に嵌合するとともに、長孔３４に嵌合したままその長手方向に変位可能な軸部１８が設けられている。軸部１８は、本体側連結部１６から両側方に突出し、その外形は長孔３４の長手方向の端縁に沿う略円形をなしている。
【００３１】
さて、支持脚部３０は、軸方向に相対変位可能に接続された上側支柱部材３０Ａおよび下側支柱部材３０Ｂと、この上下支柱部材の相対的な位置を任意の位置に固定可能な固定部材３５とにより構成されている。下側支柱部材３０Ｂは上側支柱部材３０Ａよりも小径とされ、その上端側が上側支柱部材３０Ａの下端部の内側に挿入されている。上側支柱部材３０Ａの長さ寸法は、下側縦部材１１Ｂの長さ寸法の略半分よりも長い寸法とされ、下側支柱部材３０Ｂの長さ寸法は、下側縦部材１１Ｂの長さ寸法から上側支柱部材３０Ａの長さ寸法を差し引いた寸法よりも大きい寸法とされている。
【００３２】
固定部材３５は、上側支柱部材３０Ａの下端に取り付けられる上側ジョイント３５Ａと、この上側ジョイント３５Ａに螺合可能な下側ジョイント３５Ｂとから構成されている。上側ジョイント３５Ａの略上半部分は、上側支柱部材３０Ａの下端に外嵌可能な円筒形状をなし、略下半部分（図示せず）は、周方向が部分的に切り欠かれて縮径方向に変形可能な形状をなすとともに、その外周面がねじ切りされている。下側ジョイント３５Ｂは、上側ジョイント３５Ａの略下半部分に外嵌可能な円筒形状をなすとともにその内周面はねじ切され、上側ジョイント３５Ａに螺合可能となっている。下側ジョイント３５Ｂは、下方（上側ジョイント３５Ａと対向する側とは反対側）へ向かって内径寸法が小さくなる形状をなし、下側ジョイント３５Ｂが上側ジョイント３５Ａにきつく螺合されると、上側ジョイント３５Ａの略下半部分が下側支柱部材３０Ｂを締め付けて、上側支柱部材３０Ａに対する下側支柱部材３０Ｂの相対変位を規制した状態になる。また、下側ジョイント３５Ｂが上側ジョイント３５Ａに緩く螺合された状態では、上側ジョイント３５Ａが下側支柱部材３０Ｂを締め付ける力が小さくなり、下側支柱部材３０Ｂの相対変位が許容された状態になる。すなわち支持脚部３０は、上下支柱部材３０Ａ，３０Ｂが固定部材３５を介して伸縮自在に取り付けられたものである。
【００３３】
また、一対の下側支柱部材３０Ｂ（支持脚部３０のうち下端側に配される支柱部材）同士は結合部材３６を介して連結されている(図１参照）。結合部材３６は、下側支柱部材３０Ｂの径寸法と同等の径寸法（下側横部材１２Ｃの径寸法よりも若干小さい径寸法）を備えた円柱状をなし、その長手方向の両端部が下側支柱部材３０Ｂに連結されている。
【００３４】
次に、上記のように構成されたパネルスタンドＳを、階段に設置する作業について、図５を参照しつつ説明する。なお、パネルスタンドＳは、未使用の状態では支持脚部３０が閉じられてコンパクトな形状にセットされている。
【００３５】
まず、パネルスタンドＳを階段スペースに運び、複数の段のうちパネルスタンドＳを設置したい段の上に置く。そして、支持脚部３０を所定の角度（支持脚部３０の下端が、パネルスタンドＳを置いた段よりも後方の高い段の上に設置可能な角度）に回動してセットする。このとき、所定の角度に回動した支持脚部３０から手を離すことで、嵌合凸部３２が嵌合凹部１７に自動的に嵌合するので、支持脚部３０の角度設定にかかる作業を容易に行うことができる。なお、図５においては、支持脚部３０は本体部１０から２０度の開き角度にセットされている。
【００３６】
次いで、本体部１０が前方に転倒しないよう支えつつ、両支持脚部３０の下側ジョイント３５Ｂを緩めて下側支柱部材３０Ｂを上方に引き込み、支持脚部３０の長さを調整する。そして、下側縦部材１１Ｂとほぼ同じ長さにあった支持脚部３０の長さを、本体部１０を設置した段と、支持脚部３０を設置する段との高低差程度短くし、その下端を段の上に設置する。すると、パネルスタンドＳは、本体部１０の上端側が後方へ傾斜した姿勢（展示パネルを展示可能な姿勢）で設置される。
【００３７】
このように、本実施形態のパネルスタンドＳであれば、下側支柱部材３０Ｂを上下方向に変位させることで支持脚部３０を設置する床面の高さにあわせて支持脚部３０の長さを調整することができ、また固定部材３５によりその長さを固定することができる。これにより、従来のパネルスタンドのように平らな床面に設置することが可能なだけでなく、階段（本体部１０の下端の設置位置と支持脚部３０の下端の設置位置とに高低差のある床面）にも設置することができる。
【００３８】
また、両支持脚部３０の下端部同士は結合部材３６により連結されているから、両支持脚部３０の下端の高さ位置のずれが所定範囲内に抑えられる。したがって、両支持脚部３０が連結されていない場合に比べて、その下端の高さ位置（すなわち両支持脚部３０の長さ寸法）を一致させやすいから、両支持脚部３０の長さ調整を容易に行うことができる。
【００３９】
さらに、脚側連結部３１に設けられた嵌合凸部３２と、本体側連結部１６に設けられた嵌合凹部１７との嵌合状態がバネ部材により保持されるから、支持脚部３０を所定の開き角度に保持した状態で、その長さ調整を行うことができる。ここで、このような凹凸嵌合部およびバネ部材が設けられず、支持脚部が自由に回動可能な場合には、本体部のみならず支持脚部を手で支持してその開き角度を所定角度に保持しつつ、支持脚部の長さ調整を行なわなければならない。このため、特に支持脚部が一対ある場合には、両方の支持脚部について角度を保持しつつ長さ調整を行わなければならなくなり、作業は非常に困難である。ところが、本実施形態のように、支持脚部３０が所定の開き角度に保持される場合にはそのような手間がかからず、比較的容易に両支持脚部３０の長さ寸法を調整することができ、もってパネルスタンドＳの設置を容易に行うことができる。
【００４０】
また、嵌合凸部３２と嵌合凹部１７との嵌合により支持脚部３０の開き角度が所定の角度に保持されるから、パネルスタンドＳを設置した状態で支持脚部３０に外力（例えば人の脚が接触する等による外力）が作用した場合にも、支持脚部３０の回動が規制される。したがって、不用意に支持脚部３０が回動してパネルスタンドＳが転倒する事態を防止することができ、安全上優れたものとなる。
【００４１】
また、本体側連結部１６には複数の嵌合凹部１７が設けられているから、支持脚部３０の開き角度を選択することができる。したがって、例えば図６に示すように、階段の一段毎の高低差が図５に示した階段に比べて大きい場合には、支持脚部３０の長さを調整するだけでなく、支持脚部３０の開き角度を大きくすることで問題なく設置することができる。すなわち、支持脚部３０の長さのみならず角度を調整することで、さまざまな段差形状に対応可能であるから、パネルスタンドＳの設置にかかる自由度を高めることができる。
【００４２】
また、嵌合凸部３２と嵌合凹部１７とを嵌合・離間する際には、軸部１８が長孔３４の両側縁に沿って誘導され、脚側連結部３１が本体側連結部１６に対して嵌合・離間方向に導かれる。これにより、支持脚部３０の開き角度の規制を解除する作業および規制状態にセットする作業を容易に行うことができる。
【００４３】
また、支持脚部３０が上側横部材１２Ａに連結されているから、比較的高さ寸法が大きい展示パネルを設置した場合には、本体部１０のうち上側の部分（すなわち展示パネルの自重が直接作用する部分）が支持脚部３０により支持された状態になる。これにより、高さ寸法が大きく重量も大きい展示パネルを設置した場合においても本体部１０の転倒を確実に防ぐことができる。
【００４４】
加えて、パネル載置部品２０は、中央横部材１２Ｂだけでなく上側横部材１２Ａにも取り付け可能とされているから、例えば比較的小さい展示パネルを設置する場合に、展示パネルをパネルスタンドＳの上端側に載置して見やすく展示することが可能である。
【００４５】
さらに、一対の縦部材１１は伸縮自在とされ、その上端には、パネル載置部品２０に載置された展示パネルの上縁に係合してこの展示パネルが前方へ倒れることを規制する倒れ規制部１５が備えられている。これにより、展示パネルの高さ寸法にあわせて縦部材１１を伸縮させ、倒れ規制部１５を展示パネルの上縁に係合させることができるから、高さ寸法が異なるさまざまな大きさの展示パネルの前方への倒れを防止することができる。
【００４６】
また、展示パネルが載置されるパネル載置部品２０は一対設けられるとともに上側横部材１２Ａまたは中央横部材１２Ｂに対して横方向（部材軸方向）に移動可能に取り付けられている。これにより、パネル載置部品２０の位置を移動させて、幅寸法が異なるさまざまな大きさの展示パネルを設置することができる。したがって、さまざまな幅寸法の展示パネルを設置可能な構造とするために、例えば幅寸法の大きいパネル載置部を備える場合に比べて、パネルスタンドＳの軽量化を図ることができる。
【００４７】
また、本実施形態のパネルスタンドＳの本体部１０は、一対の縦部材１１と、この一対の縦部材１１を幅方向に連結する横部材１２とを備えてなるものであるから、例えば本体部が一枚の板部材からなる場合に比べてパネルスタンドＳの軽量化を図ることができる。そして、一対の縦部材１１はその下端寄りの位置において下側横部材１２Ｃを介して連結され、下端の位置のずれが所定範囲内に抑えられるから、パネルスタンドＳを容易に安定姿勢に設置することできる。
【００４８】
以上説明したように本実施形態によれば、上下支柱部材３０Ａ，３０Ｂを軸方向に変位させることで、支持脚部３０を設置する床面の高さにあわせて支持脚部３０の長さを調整し、固定部材３５によりその長さを固定して下端を床面に設置することができる。これにより、平らな床面だけでなく、本体部１０の下端の床面と支持脚部３０の下端の床面とに段差のある床面にもパネルスタンドＳを設置することができる。
【００４９】
＜他の実施形態＞
本発明は上記記述及び図面によって説明した実施形態に限定されるものではなく、例えば次のような実施形態も本発明の技術的範囲に含まれる。
【００５０】
（１）上記実施形態では、パネル載置部品２０は少なくとも一対設けられるとともに上側横部材１２Ａまたは中央横部材１２Ｂに対して横方向に移動可能に取り付けられているが、これに限らず、例えばパネル載置部は連続した横長形状のものであってもよい。
【００５１】
（２）上記実施形態では、脚側連結部３１に嵌合凸部３２が、本体側連結部１６に複数の嵌合凹部１７が設けられているが、これに限らず、脚側連結部に複数の嵌合凹部が、本体側連結部に嵌合凸部が設けられていてもよい。また、脚側連結部に複数の嵌合凸部が設けられ、本体側連結部にその嵌合凸部に嵌合可能な嵌合凹部が設けられていてもよい。
【００５２】
（３）上記実施形態では、各支持脚部３０は、上側支柱部材３０Ａと下側支柱部材３０Ｂとの２部材が接続されたものであるが、３本以上の支柱部材が接続されたものであってもよい。
（４）上記実施形態では、支持脚部３０は、２０度毎に開き角度が保持される構造とされているが、この開き角度はどのような角度であってもよく、例えば３０度毎に保持される構造としてもよく、また必ずしも等角度毎でなくてもよい。
【００５３】
（５）上記実施形態では、支持脚部３０は、本体部１０の上側横部材１２Ａの後面に連結されているが、これに限らず、例えば本体部の中央横部材に連結されていてもよく、また縦部材に連結されていてもよい。
（６）上記実施形態では、上側横部材１２Ａおよび中央横部材１２Ｂは、縦部材１１にネジ固定されているが、これらの横部材を縦部材に対して上下方向の任意の位置に選択的に固定可能な構造にし、展示パネルの高さ寸法に合わせて固定位置を変えるようにしてもよい。
【００５４】
（７）上記実施形態では、パネル載置部品２０は一対が備えられているが、この部品を３つ以上備えるようにしてもよい。
（８）上記実施形態では、脚側連結部３１に設けられた一対の対向壁３３に長孔３４が形成され、本体側連結部１６に軸部１８が設けられているが、例えば、本体側連結部が脚側連結部を間に挟む形態をなし、脚側連結部に軸部が、本体側連結部に長孔が形成されるものとしてもよい。
【図面の簡単な説明】
【００５５】
【図１】本実施形態のパネルスタンドの正面図
【図２】同側面図
【図３】パネル載置部品の取り付け状態を表す一部拡大斜視図
【図４】嵌合凸部が嵌合凹部に選択的に嵌合する様子を表す一部拡大側面図
【図５】パネルスタンドを階段に設置した状態を表す側面図
【図６】図５とは異なる段差形状の階段にパネルスタンドを設置した状態を表す側面図
【符号の説明】
【００５６】
Ｓ…段差対応パネルスタンド
１０…本体部
１１…縦部材
１１Ａ…上側縦部材
１１Ｂ…下側縦部材
１２…横部材
１２Ｃ…下側横部材（連結横部材）
１５…倒れ規制部
１６…本体側連結部（他方の連結部）
１７…嵌合凹部（凹凸嵌合部）
１８…軸部
２０…パネル載置部品（パネル載置部）
３０…支持脚部
３０Ａ…上側支柱部材
３０Ｂ…下側支柱部材
３１…脚側連結部（一方の連結部）
３２…嵌合凸部（凹凸嵌合部）
３４…長孔
３５…固定部材
３６…結合部材
【図１】
0004802177.tif 000002
【図２】
0004802177.tif 000003
【図３】
0004802177.tif 000004
【図４】
0004802177.tif 000005
【図５】
0004802177.tif 000006
【図６】
0004802177.tif 000007